(57)【要約】【課題】薄暗い手術室内での取扱いに優れた超音波内視鏡用処置具を提供すること。【解決手段】穿刺針１０はシース１１と、把持部を兼ねる操作部１２と、シース１１内に進退自在に配置される先端を鋭利な形状に形成した針管１３とで主に構成されている。操作部１２は、樹脂部材で形成した操作部本体１５と、この操作部本体１５に対して摺動自在に設けられた樹脂部材で形成したスライダ１６と、このスライダ１６の操作部本体１５に対する摺動距離を測定結果に応じて所望の値に設定可能にするストッパ１７とで主に構成されている。ストッパ１７には操作部本体１５に対して摺動自在に配置される例えば樹脂製のストッパ部材１７ａを備えている。シース１１、ストッパ部材１７ａ及びスタイレットつまみ１４ａを、蓄光性夜光顔料を混入した樹脂部材で形成している。針管１３の先端部所定位置表面には蓄光性夜光顔料を使用した夜光塗料が塗布してある。【選択図】図２
2004166915.tif 000002
【特許請求の範囲】
【請求項１】
超音波内視鏡に設けられている処置具挿通チャンネルに挿通されて体腔内に導入される超音波内視鏡用処置具において、
前記超音波内視鏡用処置具の所定部位に発光手段を設けたことを特徴とする超音波内視鏡用処置具。
【請求項２】
前記発光手段は蓄光性夜光顔料であることを特徴とする請求項１に記載の超音波内視鏡用処置具。
【発明の詳細な説明】
【０００１】
【発明の属する技術分野】
本発明は、超音波内視鏡の処置具挿通チャンネルを介して体腔内に導入される超音波内視鏡用処置具に関する。
【０００２】
【従来の技術】
従来より、体腔内の患部を検査診断するため、内視鏡や、超音波内視鏡が使用されている。この超音波内視鏡では、例えば体腔壁表面をとらえた内視鏡画像に加えて、この体腔壁より内部の断層像である超音波画像が得られる。そして、体腔内を内視鏡画像で観察しながら、穿刺針を用いて胃や十二指腸の消化管壁等から、超音波画像で観察した膵臓、肝臓、腎臓等の深部臓器の目的部位に穿刺針を穿刺することによって、体腔内組織の採取や体液の採取を行える。
【０００３】
前記超音波内視鏡を用いて超音波診断を行う場合、内視鏡画像を内視鏡観察用の表示装置の画面上に表示させる一方で、超音波画像を起音波観察用の表示装置の画面上に表示させる。このように表示装置の画面上に内視鏡画像或いは超音波画像を表示させて観察を行う際、内視鏡画像に比べて暗く表示される超音波画像をより見易くするために手術室内を薄暗くしている。
【０００４】
【発明が解決しようとする課題】
しかしながら、手術室内が薄暗いことによって、術中に内視鏡処置具の受渡しに手間取ったり、受け取った穿刺針を処置具挿通チャンネルに導入する際に穿刺針の先端位置の把握を容易に行えない等の不都合が生じる。このため、術者によっては、手術室内を明るくして取り扱い性を優先させるため、観察画像の見易さが犠牲になるという不具合が生じる。
【０００５】
本発明は上記事情に鑑みてなされたものであり、観察画像の見易い薄暗い手術室内での取扱いに優れた超音波内視鏡用処置具を提供することを目的にしている。
【０００６】
【課題を解決するための手段】
本発明の超音波内視鏡用処置具は、超音波内視鏡に設けられている処置具挿通チャンネルに挿通されて体腔内に導入される超音波内視鏡用処置具であって、
前記超音波内視鏡用処置具の所定部位に発光手段を設けている。そして、この発光手段は、蓄光性夜光顔料である。
【０００７】
これらの構成によれば、手術を開始する際に手術室内を薄暗くすると、超音波内視鏡用処置具の所定部位に設けられた蓄光性夜光顔料が発光して、薄暗い手術室でも容易に超音波内視鏡用処置具の所定部位の視認を行える。
【０００８】
【発明の実施の形態】
以下、図面を参照して本発明の実施の形態を説明する。
図１及び図２は本発明の一実施形態に係り、図１は超音波内視鏡及び超音波内視鏡用処置具を説明する図、図２は穿刺針を説明する図である。
【０００９】
図１に示すように超音波内視鏡用処置具（以下、超音波処置具と略記する）１は、超音波内視鏡２の図示しない処置具挿通チャンネルを介して体腔内に導かれる。
【００１０】
前記超音波内視鏡２は、体腔内に挿入される細長の挿入部３と、この挿入部３の基端部に設けられた操作部４と、この操作部４の基端面に配置した接眼部５と、前記操作部４から延出するユニバーサルコード６と、このユニバーサルコード６の基端部に設けられたコネクタ７とで主に構成されている。
【００１１】
前記操作部４の挿入部３側には例えば前記超音波処置具１などを挿入する処置具挿通チャンネルの導入口になる処置具挿入口８が設けられている。この処置具挿入口８は、挿入部先端部３ａに形成されている処置具導出口９に挿入部３内に挿通配置された図示しない処置具挿通用チャンネルチューブを介して連通している。したがって、前記処置具挿入口８から超音波処置具１を挿入していくことによって、処置具導出口９から超音波処置具１の先端が導出されるようになっている。
【００１２】
図２に示すように本実施形態の超音波処置具は例えば穿刺針１０である。この穿刺針１０は、処置具挿通チャンネルに挿入されるシース１１と、このシース１１の端部に配置された把持部を兼ねる操作部１２と、この操作部１２を介して前記シース１１内に進退自在に挿通配置される先端部が鋭利な形状に形成された細長で薄肉の例えばステンレスパイプで形成された針管１３とで主に構成されており、この針管１３内には先端を鋭利な形状に形成したスタイレット１４が挿脱自在に配置されるようになっている。
【００１３】
前記操作部１２は、前記シース１１の基端部が固設される樹脂部材で形成した操作部本体１５と、この操作部本体１５に対して摺動自在に設けられる樹脂部材で形成したスライダ１６と、このスライダ１６の前記操作部本体１５に対する摺動距離を測定結果に応じて所望の値に設定可能にするストッパ１７とで主に構成されている。
【００１４】
前記ストッパ１７は、前記操作部本体１５に対して摺動自在に配置される例えば樹脂製のストッパ部材１７ａと、このストッパ部材１７ａに螺合配置されて、ストッパ部材１７ａを所望の位置に固定する例えば金属製の固定ネジ１７ｂとを備えて構成されている。
【００１５】
前記操作部本体１５の先端部には前記シース１１の基端部が固設された樹脂製の接続部１８が接着固定されている。この接続部１８の先端側内孔側には前記処置具挿入口８に前記超音波処置具１を連結固定するための図示しない２条ネジが形成されている。
【００１６】
なお、前記スライダ１６の基端部には細径部１６ａが形成されており、この細径部１６ａの基端部開口には樹脂製の吸引口金部材１９が配置されている。そして、この吸引口金部材１９には樹脂製のスタイレットつまみ１４ａが着脱自在に配置されるようになっている。
【００１７】
本実施形態の穿刺針１０では、前記針管１３の先端部所定位置表面に超音波を反射させるための複数の円環状の溝である円環溝２０、…、２０を複数設けるとともに、薄暗い手術室内で発光する発光手段である蓄光性夜光顔料を使用した夜光塗料が所定範囲に塗布してある。また、前記シース１１、ストッパ部材１７ａ及びスタイレットつまみ１４ａを、前記蓄光性夜光顔料を混入した樹脂部材で形成している。さらに、前記スタイレット１４の先端部所定範囲にも前記夜光塗料を塗布している。
【００１８】
なお、本実施形態においては超音波内視鏡２の操作部４に設けられている処置具挿入口８に前記夜光塗料を塗布している。
【００１９】
上述のように構成した超音波内視鏡用処置具１の作用を説明する。
まず、超音波内視鏡を使用して検査等を行う際、超音波内視鏡２とともに滅菌袋に収納された超音波処置具１を準備する。この準備段階のとき、滅菌袋内の超音波処置具１が手術室内の照明光にさらされることによって、塗料又は樹脂部材の蓄光性夜光顔料に光が蓄えられていく。
【００２０】
このため、超音波内視鏡下で検査等を開始する際に手術室内を薄暗くすると、超音波内視鏡２の処置具挿入口８が発光するとともに、滅菌袋に収納されている超音波処置具１の所定部位である図２に示すシース１１、針管１３、スタイレット１４、スタイレットつまみ１４ａ、ストッパ部材１７ａが発光状態になる。
【００２１】
次に、超音波内視鏡２を操作している術者から超音波処置具１を使用する旨が伝達されると、助手或いは看護士は発光している超音波処置具１が収納されている滅菌袋を開封して超音波処置具１を取り出して、発光状態のシース１１の先端側を術者に手渡す。
【００２２】
次いで、術者は、受け渡されたシース１１の先端側を把持して、発光状態の処置具挿入口８を介して前記シース１１を処置具挿通チャンネル内に挿入していく。このことによって、このシース１１が処置具導出口９まで導かれていく。
【００２３】
そして、前記処置具導出口９から超音波処置具１が突出すると、図示しない起音波観察用表示装置の画面上に表示されている超音波観察画像上に前記シース１１の所定位置に配置されている針管１３の先端部に設けた円環溝２０、…、２０が明瞭に描出される。
【００２４】
ここで、シース１１の先端と目的部位との位置関係を設定し、その後、シース１１の先端と目的部位との距離の測定を行い、前記固定ネジ１７ｂを緩め、前記距離に対応するように発光状態のストッパ部材１７ａを目盛り１５ａを確認しながら操作部本体１５上を摺動移動させ、所定位置まで移動したところで固定ネジ１７ｂを締結する。
【００２５】
この後、術者は、スライダ１６を把持し、このスライダ１６を前記ストッパ１７に向けて素早く移動させる。このことによって、スタイレット１４及び針管１３の先端が目的部位に確実に穿刺される。このとき、超音波内視鏡２の図示しない照明光学系から観察部位に向けて出射されている照明光によって針管１３の先端部が照明されることによって、この針管１３の先端部に塗布されている夜光塗料に光が蓄えられていく。
【００２６】
前記針管１３が目的部位まで到達したことを前記超音波観察画像上で確認したなら、術者は発光状態のスタイレットつまみ１４ａとともにスタイレット１４を吸引口金部材１９から引き抜く。そして、看護士等に発光状態のスタイレットつまみ１４ａ及びスタイレット先端部を見えるようにして手渡す。その後、この吸引口金部材１９の連結部に図示しない注射筒等を接続して体腔内組織の吸引を行って、深部組織部位の生検を達成する。
【００２７】
その後、術者が、この超音波処置具１を処置具挿通チャンネルから抜去したなら、術者は超音波処置具１の操作部１２に設けられているストッパ部材１７ａと針管１３の先端部を看護士等に見えるようにして超音波処置具１の手渡しを行い、超音波内視鏡下の検査を続行する。なお、超音波内視鏡下の検査が終了したなら前記超音波処置具１は廃棄される。
【００２８】
このように、超音波内視鏡用処置具を構成する、シース、ストッパ部材及びスタイレットつまみを、蓄光性夜光顔料を混入した樹脂部材で形成するとともに針管及びスタイレットの先端部に蓄光性夜光顔料を使用した夜光塗料を塗布することによって、手術室内の照明光や超音波内視鏡の照明光学系からの照明光が蓄光性夜光顔料に蓄えらて、手術室内を超音波画像を見易くするために薄暗くしたとき、蓄光性夜光顔料が発光状態になって超音波内視鏡用処置具の受渡しをスムーズ且つ容易に行うことができる。
【００２９】
また、超音波内視鏡の操作部に設けられている処置具挿入口にも蓄光性夜光顔料を使用した夜光塗料を塗布することによって、超音波内視鏡用処置具を容易に処置具挿入口に導入することができる。
【００３０】
これらのことによって、薄暗い手術室内での超音波内視鏡用処置具の取扱い性が大幅に向上する。
【００３１】
さらに、スタイレットや針管の鋭利な先端の視認を行うことができることによって、これら先端が手や指に刺さって発生する医療災害が未然に防止される。
【００３２】
なお、薄暗い手術室内で、吸引口金部材や目盛りの視認を行えるように、吸引口金部材を蓄光性夜光顔料を混入した樹脂部材で形成したり、目盛り或いはその周囲に蓄光性夜光顔料を使用するようにしてもよい。また、前記操作部の凹部に穿刺針の仕様を表す記号を蓄光性夜光顔料を使用して記入するようにしてもよい。さらに、シース、ストッパ部材、スタイレットつまみ及び吸引口金部材を、蓄光性夜光顔料を混入した樹脂部材で形成する代わりに、シース、ストッパ部材及びスタイレットの所定部位に蓄光性夜光顔料を使用した夜光塗料を塗布するようにしてもよい。このとき、少なくともシースの先端部に夜光塗料を塗布する。
【００３３】
尚、本発明は、以上述べた実施形態のみに限定されるものではなく、発明の要旨を逸脱しない範囲で種々変形実施可能である。
【００３４】
［付記］
以上詳述したような本発明の上記実施形態によれば、以下の如き構成を得ることができる。
【００３５】
（１）超音波内視鏡に設けられている処置具挿通チャンネルに挿通されて体腔内に導入される超音波内視鏡用処置具において、
前記超音波内視鏡用処置具の所定部位に発光手段を設けた超音波内視鏡用処置具。
【００３６】
（２）前記発光手段は蓄光性夜光顔料である付記１に記載の超音波内視鏡用処置具。
【００３７】
（３）前記超音波内視鏡用処置具が、前記処置具挿通チャンネルに挿通されるシースと、このシースの基端部に位置する把持部を兼ねる操作部と、前記シース内を挿通して体腔内組織に穿刺される針管とを具備する超音波穿刺針であるとき、
前記シース及び前記操作部の一部を、前記蓄光性夜光顔料を混入した樹脂材料で形成した付記２に記載の超音波内視鏡用処置具。
【００３８】
（４）前記超音波内視鏡用処置具が、前記処置具挿通チャンネルに挿通されるシースと、このシースの基端部に位置する把持部を兼ねる操作部と、前記シース内を挿通して体腔内組織に穿刺される針管とを具備する超音波穿刺針であるとき、
前記シース及び前記針管の所定部位に前記蓄光性夜光顔料を使用した夜光塗料を塗布した付記２に記載の超音波内視鏡用処置具。
【００３９】
（５）前記蓄光性夜光顔料を使用した夜光塗料を、前記超音波内視鏡の処置具挿通チャンネルの導入口部に塗布した付記２に記載の超音波内視鏡用処置具。
【００４０】
【発明の効果】
以上説明したように本発明によれば、薄暗い手術室内での取扱いに優れた超音波内視鏡用処置具を提供することができる。
【図面の簡単な説明】
【図１】超音波内視鏡及び超音波内視鏡用処置具を説明する図
【図２】穿刺針を説明する図
【符号の説明】
１…超音波内視鏡用処置具
１０…操作部
１１…シース
１３…針管
１４…スタイレット
【図１】
2004166915.tif 000003
【図２】
2004166915.tif 000004